(57)【要約】【課題】  一対のローラの表面に付着したゴミ等に起因する画像品質の劣化を抑制する工夫が図られたインスタント画像形成装置を提供する。【解決手段】  シート状の自己現像型インスタントフィルム上に露光して外部に送り出しながら現像するインスタント画像形成装置において、露光後のインスタントフィルムを挟んで回転して該インスタントフィルム上に現像液を展開する一対のローラを備え、一対のローラが、この一対のローラを全体として見たときに、相対的に表面が粗いブラスト領域と相対的に表面が平滑な平滑領域とを有する。【選択図】        図３
2006337810.tif 000002
【特許請求の範囲】
【請求項１】
シート状の自己現像型インスタントフィルム上に露光して外部に送り出しながら現像するインスタント画像形成装置において、
露光後のインスタントフィルムを挟んで回転して該インスタントフィルム上に現像液を展開する一対のローラを備え、
前記一対のローラが、該一対のローラを全体として見たときに、相対的に表面が粗いブラスト領域と相対的に表面が平滑な平滑領域とを有することを特徴とするインスタント画像形成装置。
【請求項２】
前記一対のローラが、これら一対のローラのうちの一本が前記ブラスト領域、他の一本が平滑領域を分担したローラであることを特徴とする請求項１記載のインスタント画像形成装置。
【請求項３】
前記インスタントフィルム上に被写体光を結像することにより該インスタントフィルムを露光する撮影部を有することを特徴とする請求項１記載のインスタント画像形成装置。
【請求項４】
前記インスタントフィルム上に画像信号に応じた露光光を照射することにより該インスタントフィルムを露光する露光書込部を有することを特徴とする請求項１記載のインスタント画像形成装置。
【発明の詳細な説明】
【技術分野】
【０００１】
本発明は、シート状の自己現像型インスタントフィルム上に露光して外部に送り出しながら現像するインスタント画像形成装置に関する。
【背景技術】
【０００２】
従来より、被写体光が照射される露光面の周囲に現像処理液を内包するポッド部分が設けられたインスタントフィルムが着脱自在に装填される、いわゆるインスタントカメラやインスタントプリンタ等のインスタント画像形成装置が知られている。
【０００３】
このインスタント画像形成装置では、一対のローラが、露光面への露光を終えたインスタントフィルムを挟み込みながら回転することでこのインスタントフィルムを装置外に排出しており、この一対のローラは、また、現像処理液をユニット内に延展させる機能も有している。
【０００４】
この一対のローラの表面には、ブラスト加工などの、インスタントフィルムを搬送する搬送力を確保するための処理がなされている。
【０００５】
また、インスタントフィルムの画像品質は、インスタントフィルム内における現像液の延展の均一性に依存することから、この現像液の均一な延展性を確保する提案がなされている（例えば、特許文献１参照）。
【０００６】
ところで、近年においては、装置の小型化が益々要請されており、インスタントフィルムに与えられる現像液量を最低限に留めることによるインスタントフィルムの薄型化が考えられている。
【特許文献１】特開平１１−３１６４１２号公報
【発明の開示】
【発明が解決しようとする課題】
【０００７】
ところが、最低限の現像液しか与えられていないインスタントフィルムを用いるインスタントカメラでは、フィルム現像液の延展厚みが従来より薄く、このため、ローラ表面にゴミ等が付着した場合には、その付着したゴミ等の転写痕が従来よりも顕在化しやすいことが報告されている。
【０００８】
本発明は、上記事情に鑑み、一対のローラの表面に付着したゴミ等に起因する画像品質の劣化を抑制する工夫が図られたインスタント画像形成装置を提供することを目的とする。
【課題を解決するための手段】
【０００９】
上記目的を達成するための本発明のインスタント画像形成装置は、
シート状の自己現像型インスタントフィルム上に露光して外部に送り出しながら現像するインスタント画像形成装置において、
露光後のインスタントフィルムを挟んで回転して該インスタントフィルム上に現像液を展開する一対のローラを備え、
前記一対のローラが、該一対のローラを全体として見たときに、相対的に表面が粗いブラスト領域と相対的に表面が平滑な平滑領域とを有することを特徴とする。
【００１０】
本発明のインスタント画像形成装置では、一対のローラが、一対のローラを全体として見たときに、相対的に表面が粗いブラスト領域と相対的に表面が平滑な平滑領域とを有している。このため、双方のローラの全表面が共に粗いブラスト領域である従来と比べると、ゴミの付着する確率が低い平滑領域を含んでいる分だけローラにゴミが付着する頻度を低下させることができる。したがって、本発明のインスタント画像形成装置によれば、一対のローラの表面に付着したゴミ等による画像品質の劣化を抑制することができる。
【００１１】
ここで、前記一対のローラが、これら一対のローラのうちの一本が前記ブラスト領域、他の一本が平滑領域を分担したローラであることが好ましい。
【００１２】
このようにすると、一対のローラのそれぞれにブラスト領域と平滑領域との双方を有する場合に比べ、加工の手間を軽減することができる。
【００１３】
前記インスタントフィルム上に被写体光を結像することにより該インスタントフィルムを露光する撮影部を有するものであってよく、あるいは、前記インスタントフィルム上に画像信号に応じた露光光を照射することにより該インスタントフィルムを露光する露光書込部を有するものであってもよい。
【発明の効果】
【００１４】
本発明のインスタント画像形成装置によれば、一対のローラの表面に付着したゴミ等に起因する画像品質の劣化を抑制することができる。
【発明を実施するための最良の形態】
【００１５】
以下、本発明の実施形態について説明する。
【００１６】
図１は、本発明のインスタント画像形成装置の一実施形態の、斜め上方からの外観斜視図である。
【００１７】
図１に示す、本実施形態のインスタントカメラ１は、インスタント写真フィルムが積層された状態のインスタントフィルムパックが装填され、そのインスタントフィルムパック内のインスタント写真フィルムに撮影が行なわれる、比較的コンパクトなインスタントカメラである。
【００１８】
このインスタントカメラ１で用いられるインスタント写真フィルムは、感光面に撮影光による露光を受けた後、カメラ外部に排出されるが、排出中にフィルム内の現像液ポッドが押しつぶされて現像液がフィルム内の所定の層に展開されて現像処理される、未露光時から画像形成後まで１枚のシートとして取り扱われるモノシート型フィルムであり、また、その現像液量は、現像に必要な最低限度の量に抑えられている。
【００１９】
図１に示すインスタントカメラ１は、カメラ筐体１０と、このカメラ筐体１０の内部に備えられているカメラ本体部とで構成されており、カメラ筐体１０の前面中央部には、使用前と使用時とでカメラ本体部に対する位置の変更が行なわれる円筒状のレンズ鏡胴１１が備えられている。このレンズ鏡胴１１には、固定焦点タイプの撮影レンズ１１１が嵌め込まれている。
【００２０】
図１には、このレンズ鏡胴１１が、使用前の位置である沈胴位置に沈胴されている状態が示されており、このインスタントカメラ１では、レンズ鏡胴１１が、鏡胴先端の両側面に設けられた凹部１１ａが把持されて、沈胴位置から使用時の位置である繰り出し位置（不図示）まで繰り出されることで撮影が可能となる。
【００２１】
このカメラ筐体１０の前面右側（図１上では左側）には、レリーズボタン１２が配備されており、このレリーズボタン１２が押下されることで、インスタント写真フイルムに撮影光が露光される。また、このカメラ筐体１０の前面の、レリーズボタン１２の反対側には、被写界輝度を測光するための受光窓１３が設けられている。また、このインスタントカメラ１には逆ガリレオ式ファインダが搭載され、レリーズボタン１２の上方にはファインダ対物窓１４が配備されている。尚、図示しないが、インスタントカメラ１のカメラ筐体１０の背面にはファインダ接眼窓も配備されている。
【００２２】
このカメラ筐体１０の上面１０ａには、フィルム排出口１５が設けられており、ここから、写真撮影後のインスタント写真フィルムがカメラ外部に排出される。
【００２３】
本実施形態のインスタントカメラ１では、写真撮影後のインスタント写真フィルムをカメラ外部に送り出すために備えられている一対の展開ローラが、この一対の展開ローラを全体として見たときに、相対的に表面が粗いブラスト領域と相対的に表面が平滑な平滑領域とを有しており、一対の展開ローラのそれぞれのローラの全表面にブラスト処理が施されている従来と比べ、ゴミの付着する確率が低い平滑領域を含んでいる分だけゴミなどがローラに付着する頻度が低減されている。
【００２４】
図２は、本実施形態のインスタントカメラの縦断面の一部を示す図である。
【００２５】
図２には、カメラ筐体内に配置された一対の展開ローラ２１、２２および、これら一対の展開ローラ２１、２２それぞれの中心に挿通された軸２１ａ、２２ａが示されており、一対の展開ローラ２１、２２によって挟まれて、送り出されている写真撮影後のインスタント写真フィルム１００も示されている。
【００２６】
また、図２には、写真撮影後のインスタント写真フィルム１００が展開ローラ２１、２２に挟まれて搬送されている様子が示されている。
【００２７】
図２に示すインスタントカメラ１では、図２の右側から撮影光が入射されるようになっており、インスタントフィルムパック内の未露光インスタント写真フィルム１００それぞれの、図２に示す右側の面が露光面、左側の面が画像が現れる画像形成面となっている。また、インスタント写真フィルム１００の、図２における上側に相当する位置には、現像液が封入されている現像液ポッド１００ａ、図２における下側に相当する位置には、余剰の現像液を回収するトラップ１００ｂが配備されている。また、インスタントフィルムパック２０には、内包するインスタント写真フィルム１００の撓みを矯正するための突起２０ａが立設されている。
【００２８】
尚、このインスタントカメラ１において撮影が行なわれると、写真撮影後のインスタント写真フィルム１００は、図示しないクロー爪によりインスタントフィルムパック２０から引き上げられる。引き上げられたインスタント写真フィルム１００は、展開ローラに挟まれてカメラ外部に搬送されるが、その際、インスタント写真フィルム１００に設けられている現像液ポッド１００ａは、展開ローラ間で押圧されて裂開する。この裂開された現像液ポッド１００ａから流れ出た現像液は、展開ローラ間の押圧力に応じた厚みで、フィルム内の所定の層で延展される。これにより、写真撮影後のインスタント写真フィルム１００は現像される。
【００２９】
図３は、図２に示すインスタントカメラの、上方からの透視図である。
【００３０】
図３には、一対の展開ローラ２１、２２の中心に挿通されている軸の両端が、カメラ筐体１０によって軸支されている様子が示されている。
【００３１】
図３に示す、一対の展開ローラ２１、２２のうちの、カメラの背面側（図３では上側）の展開ローラ（以下、カメラの背面側の展開ローラを第２展開ローラと称す。）２２の左端には、図示しない減速ギア系と噛合するギア２２１が接合されている。この第２展開ローラ２２は、この第２展開ローラ２２の軸２２ａの両端がカメラ筐体１０に軸支されているため、減速ギア系の回転に伴って回転する。
【００３２】
一方、カメラ前方側（図３では下側）の展開ローラ（以下、カメラの前面側の展開ローラを第１展開ローラと称す。）２１に挿通されている軸２１ａも、図３に示すようにカメラ筐体に軸支されているが、この軸２１ａを軸支する、カメラ筐体の部位１０ｂは、この軸２１ａがカメラの前後方向に移動できるように長穴形状に穿穴されている。さらに、第１展開ローラ２１の軸２１ａの両端付近には、この軸２１ａをカメラ筐体１０とは別に軸支する軸支部材２１ｂがそれぞれ挿通されており、これら軸支部材２１ｂには、軸２１ａをカメラ後方側（矢印Ａ方向）に付勢するバネ２１ｃがそれぞれ取りつけられている。これにより、本実施形態のインスタントカメラ１では、第１展開ローラ２１は、第２展開ローラ２２とは同期して別駆動され回転する。また、フィルム内に延展される現像液の厚みは、第２展開ローラ２２に対する、第１展開ローラ２１の外形寸法を従来に比べ太く補正させることによって、従来よりも薄くなるようにされている他、第１展開ローラ２１は、展開ローラ間を通過するインスタント写真フィルム１００の部位（トラップ部１００ｂなど）に応じて変化する厚みに対応してカメラの前後方向に移動可能となっている。
【００３３】
また、図３には、第１展開ローラ２１の表面が、全領域に渡ってブラスト処理されているのに対し、第２展開ローラ２２の表面は、全領域が平滑領域となっている様子が示されている。
【００３４】
本実施形態のインスタントカメラ１では、一対の展開ローラのうちの一本がブラスト領域、他の一本が平滑領域を分担したローラとすることで、双方の展開ローラの全表面が共にブラスト領域である従来と比べ、ゴミの付着する確率が低い平滑領域を含んでいる分だけ一対の展開ローラにゴミが付着する頻度を低下させることができる。したがって、このインスタントカメラ１によれば、最低限の現像液を均一に延展する必要のあるインスタントフィルムを用いる場合でも、一対のローラ表面に付着するゴミ等に起因する転写痕の発生頻度を従来よりも抑えることができる。
【００３５】
尚、以上説明した本実施形態では、一対の展開ローラのうちの一本がブラスト領域、他の一本が平滑領域を分担したローラである場合を例に挙げて説明したが、本発明では、それぞれのローラが、ブラスト領域と平滑領域の双方を有するものであってもよく、さらには、一本のローラの表面の全領域が、ブラスト領域のみ、あるいは平滑領域のみであって、もう一本のローラが、ブラスト領域と平滑領域との双方を有するものであってもよい。
【００３６】
また、以上説明した実施形態では、インスタントカメラを例に挙げて説明したが、画像信号に応じた露光光をインスタントフィルム上に照射することで、このインスタントフィルムを露光する露光書込部を有するプリンタ装置えを例にあげるものであってもよい。
【図面の簡単な説明】
【００３７】
【図１】本発明のインスタント画像形成装置の一実施形態の、斜め上方からの外観斜視図である。
【図２】本実施形態のインスタントカメラの縦断面の一部を示す図である。
【図３】図２に示すインスタントカメラの、上方からの透視図である。
【符号の説明】
【００３８】
１  インスタントカメラ
１０  カメラ筐体
１１  レンズ鏡胴
１２  レリーズボタン
１５  フィルム排出口
２１  第１展開ローラ
２１ｂ  軸支部材
２１ｃ  バネ
２２  第２展開ローラ
１００  インスタント写真フィルム
【図１】
2006337810.tif 000003
【図２】
2006337810.tif 000004
【図３】
2006337810.tif 000005